(57)【特許請求の範囲】
【請求項１】
股下に引き当ててパンツ又はおむつと併用される便失禁専用パッドであって、肛門周辺に当たる部位に吸水域（９）が設けられた股下パッド（４）の中央部に半円柱状の埋山（２）が設けられると共に、前記埋山（２）に隣接した前部に横方向に立体的に盛り上がった土手（１０）が設けられ、前記股下パッド（４）の背面部側に前記パンツ又はおむつに固定するための引き帯（３）が設けられた便失禁専用パッド。
【請求項２】
前記股下パッド（４）の左右両縁に立体ギャザー（８）が設けられた請求項１記載の便失禁専用パッド。
【請求項３】
前記股下パッド（４）によりパッド本体（１６）が構成されると共に
前記パッド本体（１６）の前面側左右両端に一対の持ち上げ引き帯（１５）が設けられた請求項１又は請求項２記載の便失禁専用パッド。
【請求項４】
前記一対の持ち上げ引き帯（１５）の間に位置する前記パッド本体（１６）の上辺（５）に下弦月状のくぼみ（２１）が形成された請求項３記載の便失禁専用パッド。
【請求項５】
男性向けの便失禁専用おむつであって、
前記おむつの身体前面側に窓開き開放口（２３）が設けられ、
前記窓開き開放口（２３）の後方側の肛門周辺に当たる部位に吸水域（９）が設けられていると共に、前記吸水域（９）の縁に沿って立体的に盛り上がった平面視において略Ｍ字型に形成された土手（２５）が設けられた便失禁専用おむつ。
【請求項６】
前記窓開き開放口（２３）は、長方形開放口（３４）と半円形状の開放口（２４）で形づくられていることを特徴とする請求項５記載の便失禁専用おむつ。
【発明の詳細な説明】
【技術分野】
【０００１】
本発明は、主に男性向けの比較的軽い便失禁専用の用具に関する。
【背景技術】
【０００２】
従来のパッドやおむつは、尿とり専用又は尿とりと便失禁両方対応の物が一般的であり、軽度の便失禁に対応したものとして以下のものが知られている。
【先行技術文献】
【特許文献】
【０００３】
【特許文献１】特開２０１８−１８３４４６号公報
【特許文献２】特表２０１５−５１３３０２号公報
【発明の概要】
【発明が解決しようとする課題】
【０００４】
これまでは以下のような課題や要望があった。
（イ）介護用品以外では、パッドは尿とり専用パッドしかなく便失禁専用パッドがない。
（ロ）おむつは尿とり専用又は尿とりと便失禁両方対応があるが、便失禁専用のおむつがない。
（ハ）市場にある下着風おむつ、薄着風おむつ、パンツ型おむつと称する物も、実際には吸水域のパッド部分が相当広いために穿き心地も見た目も宣言文言にはほど遠い。
（ニ）健康な男性成年層にとっては、尿とり専用パッドよりも便失禁専用パッドの必要性が高い。
（ホ）仕事のストレス等による通勤途上の男性の便失禁は比較的軽度であることが多くトイレに到着するまでの対応ができれば良く、又事後処理が簡単なものが求められている。
（ヘ）これまでのパッドやおむつは男性器を押さえ込むために抑圧のストレスが大きく、かつ排尿時に不便なために男性向けの便失禁専用の用具が強く要望されている。
【課題を解決するための手段】
【０００５】
本発明の各実施形態は上記の少なくともいずれか１つの課題を解決するものである。
第１の実施形態の便失禁専用パッドは、股下に引き当ててパンツ又はおむつと併用される便失禁専用パッドであって、肛門周辺に当たる部位に吸水域９が設けられた股下パッド４の中央部に半円柱状の埋山２が設けられると共に、前記埋山２に隣接した前部に横方向に立体的に盛り上がった土手１０が設けられ、前記股下パッド４の背面部側に前記パンツ又はおむつに固定するための引き帯３が設けられた構成を有することを特徴とする。引き帯３の固定手段として粘着テープを設ける場合、引き帯３のパンツ又はおむつ側の面に設けるとよい。この便失禁専用パッドはさらに、前記股下パッド４の左右両縁に立体ギャザー８が設けられていてもよい。
【０００６】
上記便失禁専用パッドはパンツやおむつに粘着テープなどでワンタッチで取り付けることができ、半円柱状の埋山をお尻のくぼみに挟んで極めて少量の便失禁に対応することができる。
【０００７】
第２の実施形態の便失禁専用パッドは、第１の実施形態の便失禁専用パッドにおいて、前記股下パッド４によりパッド本体１６が構成されると共に前記パッド本体１６の前面側左右両端に一対の持ち上げ引き帯１５が設けられた構成を有することを特徴とする。この場合も、持ち上げ引き帯１５の固定手段として粘着テープを設ける場合、持ち上げ引き帯１５のパンツ側の面に設けるとよい。
【０００８】
このようにすると、男性器用の空間が形成され、男性器をパッドの抑圧ストレスから解放することができるほか、失禁便の陰のうへの付着を防止することもできる。この場合、前記一対の持ち上げ引き帯１５の間に位置する前記パッド本体１６の上辺５に下弦月状のくぼみ２１が形成されていてもよい。
【０００９】
第３の実施形態の便失禁専用おむつは、男性向けの便失禁専用おむつであって、前記おむつの身体前面側に窓開き開放口２３が設けられ、前記窓開き開放口２３の後方側の肛門周辺に当たる部位に吸水域９が設けられていると共に、前記吸水域９の縁に沿って立体的に盛り上がった平面視において略Ｍ字型に形成された土手２５が設けられたことを特徴とする。この場合、前記窓開き開放口（２３）は、長方形開放口（３４）と半円形状の開放口（２４）で形づくられていてもよい。
【００１０】
このような構造は、吸水力と流れ防止に効果があり、これにより吸水域９の範囲を極めて小さくできおむつ全体を薄着化でき、下着風おむつとして使用できる。その結果、穿き心地が向上し、外観上も薄くて見た目もすっきりしているので、成年層の男性が使用する際の抵抗感が極めて少なくなる。
【図面の簡単な説明】
【００１１】
【図１】ワンタッチパッドの平面図
【図２】ぴたっとパッドの平面図
【図３】窓開き下着風おむつの平面図
【発明を実施するための形態】
【００１２】
本発明は、健康で毎日元気に働いている会社員や学生を中心とした男性の成年層に供する軽い便失禁に対応する便失禁専用パッド及び便失禁専用おむつを提供する。介護用おむつ、老人用おむつ、下着感覚のパンツと称するおむつ等や尿とりパッドの類とは全く用途を異にするものである。朝出勤や通学途上の電車等で乗車時の急な便意の不安がある際に、予め普段のパンツの中に着用する用具で、体調や緊張感やストレスによる便失禁の不安の軽重に応じて使い分けする３種類の便失禁専用の対応用具で構成され、以下のような構成を有する。
【００１３】
（第１の実施形態）
まず、図１を参照してワンタッチパッド（１）につき記述する。これは極めて軽微な便失禁に対応するものであり、男女共用で使えるものである。会陰部から肛門を中心に股下局部にワンタッチパッド（１）を押しあてて尻部くぼみでしっかり挟み込む。その際、半円柱状の埋山（２）の中心が肛門に当たる様に注意し、ズレ防止の引き帯（３）を引っ張ってワンタッチパッド（１）の位置を安定させる。そしてパンツを穿いてワンタッチパッド（１）を軽く押えて位置を確認し、ズレ防止の引き帯（３）を上に引っ張って裏面の粘着テープをパンツに貼り止めて、パンツの位置を安定させる。
【００１４】
これにより下痢以外であれば、トイレに到着するまでの間の少量の便失禁や我慢途上での少量の便液モレには十分対応できる。このワンタッチパッド（１）の大きさと形状につき記述する。股下パッド（４）は幅７０ミリ、長さ１１４ミリの大きさで、ズレ防止の引き帯（３）は根元（１１）の幅２０ミリ、手元（１２）の幅３０ミリ、長さ８６ミリとする。股下パッド（４）の前面側の上縁（３９）は１０ミリの幅間で曲線でふくらみ、背面側の下辺（６）は１５ミリの幅間で曲線で縮む。全体の表面材は外面側は不織布、内面側はポリオフィンとする。左右両縁に幅５ミリの立体ギャザー（８）を設ける。股下パッド（４）の中央部分に幅５０ミリ、長さ９０ミリの範囲で厚み２ミリの吸水域（９）を設ける。形は大概長方形でよい。
【００１５】
吸水材は綿状パルプ、高分子吸収材、防水材はポリオフィンフィルムで構成する。吸水域（９）の中心部に幅２０ミリ、長さ６０ミリの半円柱状の埋山（２）を設ける。半円柱状の埋山（２）は頂きの高さ１０ミリの半円柱で、前面側及び背面側の両端は１０度の角度で上から下にけずって傾斜（１３）を設け、吸水材の密度を厚くして適度の硬さを持つものとする。半円柱状の埋山（２）に隣接した前部に、幅５ミリ、長さ４０ミリの身体前面方向へのもれを防ぐ流れ防止の土手（１０）を設ける。頂きの高さ、左右両端の傾斜（１３）は半円柱状の埋山（２）と同様とする。一体となった流れ防止の土手（１０）と半円柱状の埋山（２）は失禁便や便液の吸水を高めて流れを防止し尻部のくぼみをしっかり押えて挟み易くする効果を目的としている。
【００１６】
ズレ防止の引き帯（３）は根元（１１）から手元（１２）に向けて末広がりの形状とし、身体背面側に伸ばした際にパンツに固定するため、パンツ側の面に粘着テープを設ける。これにより歩行中にズレ落ちてしまう心配がないが、これでも不安定な場合は、ワンタッチパッド（１）を押える感じで尻部該当部に横方向にサージカルテープを貼ることも可能である。但し、ボクサータイプ、ブリーフタイプ等の身体にぴったりした下着を穿けばその必要はない。
【００１７】
朝出勤前に、本実施形態のワンタッチパッド（１）を使用すれば、極めて軽微な便失禁には十分対応できるので安心して外出でき、出勤途上でトイレに到着するまでに失敗することが少なくなる。
【００１８】
（第２の実施形態）
次に、図２を参照してぴたっとパッド（１４）につき記述する。これは尿とりパッドや生理用パッドと同様に、パンツに粘着テープで付着させて使用するものである。通勤途上で突発性の便意が習慣的に予想される場合に使用するもので、トイレに到着するまでの比較的少量の便失禁や軟便傾向に対応する。このぴたっとパッド（１４）は、男性器をパッドの抑圧ストレスから解放するために、陰のうを根元から持ち上げて肛門から遠ざけるための持ち上げ引き帯（１５）と半円柱状の埋山（２）、流れ防止の土手（１０）を設置した男性向けの便失禁専用パッドである。健康な成人がストレスや神経的な要因で、通勤時に突発的な便意を催す場合は、このぴたっと（１４）を装着しているという安心感でそれを抑止する効果もあり、又トイレでの事後処理も簡単である。
【００１９】
このぴたっとの大きさと形状につき記述する。ぴたっとパッド（１４）のパッド本体（１６）は幅８０ミリ、左右両端の長さ１２０ミリとする。身体前面側の２本の持ち上げ引き帯（１５）は、幅１１ミリ、長さ７０ミリ、上部に幅広つまみ部分（１７）を設ける。背面側のズレ防止の引き帯（３）は根元（１１）幅２０ミリ、手元（１２）幅４０ミリ、長さ５６ミリとする。パッド本体（１６）は、左右両縁に幅５ミリの立体ギャザー（８）を設ける。前面側は左右両端から各１５ミリ内側、根元（１１）から垂直に１２０ミリの位置１（１８）から２８ミリ垂直に離れた２箇所の位置２（１９）の間を下弦月状に１０ミリの高低で曲線状にくぼむ形とする。背面側端は２箇所の位置３（２０）の間を上弦月状に２０ミリの高低で曲線状にふくらみ、ズレ防止の引き帯（３）に結がる形とする。パッド本体（１６）の中央部分に幅５０ミリ、長さ１２０ミリの範囲で、厚さ３ミリの吸水域（９）を設ける。吸水域（９）の前面側両角は４５度傾斜でけずり、前面側の上辺（５）の長さ３０ミリとする。背面側両角は４５度傾斜でけずり、下辺（６）の長さは３０ミリとする。上辺（５）から１０ミリ離れた中心部背面側に流れ防止の土手（１０）を設け、それに隣接して半円柱状の埋山（２）を設ける。
【００２０】
流れ防止の土手（１０）は幅５ミリ、長さ４０ミリ、頂きの高さ１０ミリの半円柱で左右の両端は１０度の角度で上から下にけずって傾斜（１３）を設け、吸水材の密度を厚くして適度の硬さを持たせる。背面側に隣接して中心部に設ける半円柱状の埋山（２）は、幅２０ミリ、長さ６０ミリ、頂きの高さ１０ミリの半円柱で上下の両端は１０度の角度で上から下にけずって傾斜（１３）を設け、吸水材の密度を厚くして適度の硬さを持たせる。身体前面側の２本の持ち上げ引き帯（１５）は位置２（１９）から各々８０度の角度で伸び、上部の幅広つまみ部分（１７）は、横幅３０ミリ、縦幅２０ミリの長方形とし、表面材の素材はパッド本体（１６）部分の物よりやや厚めの構成とする。
【００２１】
パンツ側面に粘着テープを設けてパンツに付着、安定させる。背面側のズレ防止の引き帯（３）は、根元（１１）から手元（１２）にかけて末広がり状とし、根元（１１）から中心線で５０ミリ離れた箇所で５ミリの高さで半円形にふくらむ曲線とする。パンツ側面に粘着テープを設置し、よく引っ張って位置を安定させてパンツに付着させる。
【００２２】
この２本の持ち上げ引き帯（１５）の間の下弦月状のくぼみ（２１）が陰のうを根元から持ち上げて、肛門から遠ざける役目を持つ。従って２本の持ち上げ引き帯（１５）でしっかり引っ張って位置を安定させてパンツに粘着させる。ぴたっとパッド（１４）のパンツ側全面に粘着テープを設けても良い。全体の表面材、吸水域（９）の吸水材、防水材等の素材構成は前記ワンタッチパッド（１）と同様とする。
【００２３】
本実施形態のぴたっとパッド（１４）をパンツ内に装着して外出すれば、下痢以外の少量の軟便等に十分対応できる。男性器を押えこまないので、抑圧感のストレスがなく排尿時の煩わしさも解消される。加えて陰のうが失禁便で汚れることも防止できる。
【００２４】
（第３の実施形態）
次に、図３を参照して最後に窓開き下着風おむつ（２２）につき記述する。これは身体前面部のおむつが男性器を押さえないようにするための機能と、肛門から出来るだけ陰のうを引き離して失禁便が陰のうに付着しないようにするための機能、及び失禁便が前面方向、横方向に流れ出ないようにするための機能を備えるものである。加えて健康な男性成年層に供するために吸水体パッドの範囲を極力小さくして、穿き心地も見た目もすっきりしたパンツ風にしている。具体的には男性器をおむつの外に出す窓開き開放口（２３）を設け、その肛門側部分は陰のうを根元から上に引き上げるための半円形状の開放口（２４）とする。
【００２５】
股下の吸水域（９）の中心部に、前方向と左右横方向に失禁便が流れ出ないようにＭ字型の流れ防止の土手（２５）を設ける。更に吸水域（９）を可能な限り小さく設定した薄いパンツ型の男性専用の便失禁専用のおむつである。
【００２６】
この形態は斜視図や断面図で構成を説明するのが難しいために、両脇の貼り合せ部（２６）を左右の足ぐりまで切断した状態を平面図にした図３に基づいて詳細を記述する。
【００２７】
窓開き下着風おむつ（２２）の全体の大きさは、縦の長さは身体前面部２８０ミリ、股下域（７）の幅狭部１２０ミリ、身体背面部２８０ミリとする。身体前面部から記述する。ウェスト伸縮帯（２７）は幅３０ミリ、横の長さ２００ミリ、伸縮材としわ加工の中段伸縮帯（２８）は最大幅８０ミリとする。左右両脇の貼り合せ部（２６）はウェスト伸縮帯の下側縁の位置４（２９）から下に１３２ミリ、横へ８８ミリの位置５（３０）に幅５ミリの帯状で設置する。
【００２８】
位置５（３０）から位置６（３１）が足ぐり縁になる。位置６（３１）から位置７（３２）の２２０ミリの間に、窓開き開放口（２３）の全部、Ｍ字型の流れ防止の土手（２５）と吸水域（９）の大半を設置する。ウェスト伸縮帯（２７）の前面側の中心点の位置８（３３）から下に１８０ミリの箇所に、横７２ミ、縦８０ミリの長方形開放口（３４）とその下４０ミリの高さの半円形状の開放口（２４）で形づくる窓開き開放口（２３）を設ける。
【００２９】
半円形状の開放口の先端部分（３５）は幅４０ミリ、頂き高さ１２ミリの一層の丸みを持つ形で、陰のうの根元を押えて男性器全体を持ち上げて、窓開き開放口（２３）の外に出す役目を持つ。位置８（３３）から背面側へ３００ミリの箇所から吸水域（９）を横幅１００ミリ、長さ１８０ミリで設ける。上端はＭ字型とする。
【００３０】
背面側の先端の横幅は２０ミリとし、４０ミリ手前から角度をつけて細くする。吸水域（９）の厚みは５ミリ以上とする。Ｍ字型の流れ防止の土手（２５）は吸水域（９）の端に沿ってＭ字型に設ける。前面側は吸水域（９）の端に沿ってＭ字型に、背面部も吸水域（９）の左右両端に沿って左右共に長さ１２０ミリで設置する。規模は幅１０ミリ、頂きの高さ１０ミリで半円柱状とし、吸水材の密度を厚くして適度の硬さを持たせる。両脇下の位置６（３１）と位置７（３２）の間に、幅１２ミリの返しギャザー（３６）を設置し、その縁に幅５ミリで強めの伸縮材を織り込んで中心部で３０ミリ程度立ち上がる立体的な構造とする。
【００３１】
身体背面部について記述する。ウェスト伸縮帯（２７）に接して中段伸縮帯（２８）を最大幅４０ミリで設ける。ウェスト伸縮帯（２７）の下側縁の位置９（３７）から前面部へ１３２ミリ、横へ８０ミリの位置１０（３８）まで両脇の貼り合せ部（２６）の合体面となる。
【００３２】
従って位置１０（３８）から位置７（３２）、位置６（３１）、位置５（３０）を結ぐラインが足ぐり全体の太さとなる。平面図３で表したウェスト伸縮帯（２７）は静止時の長さは２００ミリではあるが、引き伸ばすと最大４５０ミリまで拡大する。
【００３３】
従って、伸縮材使用部分やしぼり加工を施こした部分等の膨らみ程度は通常の市販おむつと相当程度の同形態とする。半円柱状の埋山（２）、流れ防止の土手（１０）、Ｍ字型の流れ防止の土手（２５）のみ吸水材の密度を厚く構成し、その他は一般の市販されているおむつ、尿とりパッド等の構成素材と同様とし、特に限定しない。
【００３４】
本実施形態の窓開き下着風おむつ（２２）は、従来のおむつと異なって以下の効果がある。男性器を押えこまないので抑圧感のストレスがない。排尿時に従来のおむつの様な煩わしさがない。陰のうが失禁便で汚れることが極めて少なくなる。Ｍ字型の流れ防止の土手の設置により、失禁便の流出防止、吸水力の向上に効果がある。全体の吸水域を従来に比較して相当程度縮小できるので穿き心地が向上し、外観上も薄くて見た目もすっきりしているので、成年層の男性が使用する際の抵抗感が極めて少なくなる。
【符号の説明】
【００３５】
１  ワンタッチパッド
２  半円柱状の埋山
３  ズレ防止の引き帯
４  股下パッド
５  上辺
６  下辺
７  股下域
８  立体ギャザー
９  吸水域
１０  流れ防止の土手
１１  根元
１２  手元
１３  傾斜
１４  ぴたっとパッド
１５  持ち上げ引き帯
１６  パッド本体
１７  幅広つまみ部分
１８  位置１
１９  位置２
２０  位置３
２１  下弦月状のくぼみ
２２  窓開き下着風おむつ
２３  窓開き開放口
２４  半円形状の開放口
２５  Ｍ字型の流れ防止の土手
２６  両脇の貼り合せ部
２７  ウェスト伸縮帯
２８  中段伸縮帯
２９  位置４
３０  位置５
３１  位置６
３２  位置７
３３  位置８
３４  長方形開放口
３５  半円形状の開放口の先端部
３６  返しギャザー
３７  位置９
３８  位置１０
３９  前面側の上縁
【図１】
0006588667.tif 000002
【図２】
0006588667.tif 000003
【図３】
0006588667.tif 000004